(57)【要約】【課題】比較的簡素な構成でありながら、装着式の生体情報取得装置を対象者から取り外したとしても、生体情報を取得できる生体情報取得ユニットを提供する。【解決手段】生体情報取得装置には、対象者に装着可能に構成され、該対象者の体動が作用する第１中空部材（31）と、第１中空部材（31）の圧力を検出する圧力センサ（32）と、圧力センサ（32）で検出した圧力信号に基づいて対象者の生体情報を取得する信号処理部（51）と、所定の対象物（5）に設けられる第２中空部材（74）と、上記圧力センサ（32）とを連通可能な連通路（40）とが設けられる。【選択図】図２
2018134248.tif 000002
【特許請求の範囲】
【請求項１】
対象者に装着可能に構成され、該対象者の体動が作用する第１中空部材（31）と、
上記第１中空部材（31）の圧力を検出する圧力センサ（32）と、
上記圧力センサ（32）で検出した圧力信号に基づいて上記対象者の生体情報を取得する信号処理部（51）とを備えた装着式の生体情報取得装置であって、
所定の対象物（5）に設けられる第２中空部材（74）と、上記圧力センサ（32）とを連通可能な連通路（40）を備えていることを特徴とする生体情報取得装置。
【請求項２】
請求項１において、
上記連通路（40）は、上記圧力センサ（32）を、上記第１中空部材（31）及び上記第２中空部材（74）と並列に接続させることを特徴とする生体情報取得装置。
【請求項３】
請求項２において、
上記連通路（40）には、上記圧力センサ（32）と、上記第１中空部材（31）及び上記第２中空部材（74）との連通状態を切り換える切換機構（46,80）が設けられることを特徴とする生体情報取得装置。
【請求項４】
請求項３において、
上記切換機構（46,80）は、上記第２中空部材（74）と上記圧力センサ（32）を連通させる通路（43）を開閉する開閉機構（46,80）であることを特徴とする生体情報取得装置。
【請求項５】
請求項４において、
上記第２中空部材（74）は、上記通路（43）の始端に接続可能な接続部（73）を有し、
上記開閉機構（46,80）は、上記第２中空部材（74）の上記接続部（73）が上記通路（43）に接続されると該通路（43）を開放し、上記第２中空部材（74）の上記接続部（73）が上記通路（43）から外れると該通路（43）を閉鎖することを特徴とする生体情報取得装置。
【請求項６】
請求項１において、
上記第１中空部材は中空状のチューブ（31）を有し、
上記第２中空部材（74）は、上記チューブ（31）を介して上記圧力センサ（32）と接続可能に構成されることを特徴とする生体情報取得装置。
【発明の詳細な説明】
【技術分野】
【０００１】
本発明は、対象者に装着可能な装着式の生体情報取得装置に関する。
【背景技術】
【０００２】
対象者の生体情報を取得する生体情報取得装置がある。
【０００３】
この種の装置として、特許文献１には、ベルト式の生体情報取得装置が開示されている。同文献の例えば図２に示すように、この生体情報取得装置は、対象者の腰などに装着可能なベルトと、ベルトの表面に取り付けられる空気袋（感圧部）と、空気袋の内圧を検出する圧力センサとを有している。対象者がベルトを装着した状態で、対象者の体動が空気袋に作用すると、空気袋の内圧が変化する。圧力センサは、この内圧に基づいて対象者の生体情報（例えば対象者の寝返りなどの体の動き、呼吸や心拍等の動き）に関する信号を取得する。
【先行技術文献】
【特許文献】
【０００４】
【特許文献１】特開２００１−２８６４４８号公報
【発明の概要】
【発明が解決しようとする課題】
【０００５】
上述したような装着式の生体情報取得装置は、生体情報を取得する際、常に対象者に取り付ける必要がある。これに対し、対象者は、例えば就寝する時や、ソファ等でリラックスしたい時において、必ずしも装着式の生体情報取得装置を身につけたいと考えないことがある。生体情報取得装置を装着することで、拘束感を覚える可能性があるからである。
【０００６】
本発明は、このような課題に鑑みてなされたものであり、その目的は、比較的簡素な構成でありながら、装着式の生体情報取得装置を対象者から取り外したとしても、生体情報を取得できる生体情報取得ユニットを提供することである。
【課題を解決するための手段】
【０００７】
第１の発明は、対象者に装着可能に構成され、該対象者の体動が作用する第１中空部材（31）と、該第１中空部材（31）の圧力を検出する圧力センサ（32）と、該圧力センサ（32）で検出した圧力信号に基づいて上記対象者の生体情報を取得する信号処理部（51）とを備えた装着式の生体情報取得装置であって、所定の対象物（5）に設けられる第２中空部材（74）と、上記圧力センサ（32）とを連通可能な連通路（40）を備えていることを特徴とする生体情報取得装置である。
【０００８】
第１の発明では、生体情報取得装置（10）ないし第１中空部材（31）を対象者に装着した状態において、対象者の体動が第１中空部材（31）に作用する。この体動に起因して、第１中空部材（31）の内圧が変化する。圧力センサ（32）は、第１中空部材（31）の内圧を検出し、この内圧に応じた圧力信号を出力する。この圧力信号には、対象者の体動（体の大きな動きに由来する粗動や、心拍・呼吸に由来する微動）が重畳している。このため、信号処理部（51）により、この圧力信号に基づいて対象者の生体情報を取得できる。
【０００９】
一方、対象者が生体情報取得装置（10）を装着したくない状況では、該生体情報取得装置（10）を取り外す。そして、所定の対象物（5）（例えば寝具やソファ等）に設けられた第２中空部材（74）に対象者の体動を作用させる。第２中空部材（74）は、連通路（40）を介して圧力センサ（32）と連通する。このため、圧力センサ（32）により第２中空部材（74）の内圧に応じた圧力信号を検出でき、ひいては信号処理部（51）により、この圧力信号に基づく生体情報を取得できる。以上により、対象者が生体情報取得装置（10）を取り外した状態においても、対象者の生体情報を取得できる。
【００１０】
第１中空部材（31）の内圧に基づいて生体情報を取得する動作と、第２中空部材（74）の内圧に基づいて生体情報を取得する動作とでは、圧力センサ（32）及び信号処理部（51）が兼用される。このため、圧力センサや信号処理部を２つ設けることなく、上記の２つの動作を行うことができる。従って、生体情報取得装置（10）の簡素化ないし低コスト化を図ることができる。
【００１１】
第２の発明は、第１の発明において、上記連通路（40）は、上記圧力センサ（32）を、上記第１中空部材（31）及び上記第２中空部材（74）と並列に接続させることを特徴とする生体情報取得装置である。
【００１２】
第２の発明では、圧力センサ（32）と、第１中空部材（31）及び第２中空部材（74）とが分岐路（43）を介して並列に接続される。このため、１つの圧力センサ（32）により、第１中空部材（31）の内圧と、第２中空部材（74）の内圧とを検出できる。
【００１３】
第３の発明は、第２の発明において、上記連通路（40）には、上記圧力センサ（32）と、上記第１中空部材（31）及び上記第２中空部材（74）との連通状態を切り換える切換機構（46,80）が設けられることを特徴とする生体情報取得装置である。
【００１４】
第３の発明は、切換機構（46,80）を用いることで、圧力センサ（32）と第１中空部材（31）だけを連通させたり、圧力センサ（32）と第２中空部材（74）だけを連通させたりできる。圧力センサ（32）と第１中空部材（31）だけを連通させた状態で、生体情報取得装置（10）を装着することで、第１中空部材（31）の内圧変化が大きくなる。この結果、生体情報取得装置（10）の装着時に取得される生体情報の精度が向上する。
【００１５】
また、圧力センサ（32）と第２中空部材（74）だけを連通させた状態で、生体情報取得装置（10）を取り外し、対象者の体動を第２中空部材（74）に作用させると、第２中空部材（74）の内圧変化が大きくなる。この結果、生体情報取得装置（10）を取り外した時に取得される生体情報の精度が向上する。
【００１６】
第４の発明は、第３の発明において、上記切換機構（46,80）は、上記第２中空部材（74）と上記圧力センサ（32）を連通させる通路（43）を開閉する開閉機構（46,80）であることを特徴とする生体情報取得装置である。
【００１７】
第４の発明では、開閉機構（46,80）を閉状態にすることで、第２中空部材（74）と圧力センサ（32）とを繋ぐ通路（43）が遮断される。これにより、この通路（43）が開放されていることに起因して、第１中空部材（31）の内圧の変化が小さくなることを回避できる。この状態において、対象者が生体情報取得装置（10）を装着することで、第１中空部材（31）の内圧の変化が大きくなり、取得される生体情報の精度が向上する。
【００１８】
開閉機構（46,80）を開放することで、第２中空部材（74）と圧力センサ（32）とが連通する。これにより、生体情報取得装置（10）を取り外した状態で、対象者の生体情報を取得できる。この場合、第１中空部材（31）と圧力センサ（32）も連通することになるが、第１中空部材（31）は対象者から取り外され、体動が作用しない。このため、第１中空部材（31）と圧力センサ（32）とが連通したとしても、第２中空部材（74）の内圧変化の傾向が大きく変わることがない。従って、第１中空部材（31）と圧力センサ（32）とが連通していても、対象者の生体情報を十分に取得できる。
【００１９】
第５の発明は、第４の発明において、上記第２中空部材（74）は、上記通路（43）の始端に接続可能な接続部（73）を有し、上記開閉機構（46,80）は、上記第２中空部材（74）の上記接続部（73）が上記通路（43）に接続されると該通路（43）を開放し、上記第２中空部材（74）の上記接続部（73）が上記通路（43）から外れると該通路（43）を閉鎖することを特徴とする生体情報取得装置である。
【００２０】
第５の発明では、第２中空部材（74）の接続部（73）を、該第２中空部材（74）と圧力センサ（32）とを連通させるための通路（43）に接続すると、開閉機構（46,80）が開放状態となる。従って、生体情報取得装置（10）を対象者から取り外した状態において第２中空部材（74）の内圧を圧力センサ（32）で検出でき、対象者の生体情報を取得できる。
【００２１】
一方、生体情報取得装置（10）を装着する際には、第２中空部材（74）の接続部（73）を通路（43）から外す。これにより、開閉機構（46,80）が閉状態となり、通路（43）が閉鎖される。従って、第１中空部材（31）の内圧変化が大きくなり、生体情報取得装置（10）の装着時における生体情報の精度が向上する。
【００２２】
第６の発明は、第１の発明において、上記第１中空部材は中空状のチューブ（31）を有し、上記第２中空部材（74）は、上記チューブ（31）を介して上記圧力センサ（32）と接続可能に構成されることを特徴とする生体情報取得装置である。
【００２３】
第６の発明では、第１中空部材であるチューブ（31）から第２中空部材（74）を取り外した状態において、対象者が生体情報取得装置（10）を装着することで、対象者の体動がチューブ（31）に作用する。圧力センサ（32）は、チューブ（31）の内圧に応じた圧力信号を出力し、信号処理部（51）は、この圧力信号に基づいて生体情報を取得する。
【００２４】
一方、対象者が生体情報取得装置（10）を取り外した状態で、第２中空部材（74）をチューブ（31）に接続する。これにより、第２中空部材（74）は、チューブ（31）の内部通路（31b）を介して圧力センサ（32）と連通する。対象者の体動が、対象物（5）に設けられた第２中空部材（74）に作用すると、圧力センサ（32）は、第２中空部材（74）の内圧に応じた圧力信号を出力し、信号処理部（51）は、この圧力信号に基づいて生体情報を取得する。以上のように、第２中空部材（74）をチューブ（31）に継ぎ足すことで、生体情報取得装置（10）を取り外した状態において、圧力センサ（32）及び信号処理部（51）を用いて、生体情報を取得できる。
【００２５】
本発明では、チューブ（31）の内部通路（31b）が連通路（40）を兼ねるため、装置の簡素化、小型化を図ることができる。
【発明の効果】
【００２６】
本発明によれば、対象物（5）に設けられた第２中空部材（74）に体動を作用させることで、生体情報取得装置（10）を取り外しながら、対象者の生体情報を取得できる。従って、対象者が生体情報取得装置（10）を装着することに起因して、対象者の快適性を損なうことを回避できる。
【００２７】
また、本発明によれば、第１中空部材（31）を用いて生体情報を取得する場合と、第２中空部材（74）を用いて生体情報を取得する場合とで、圧力センサ（32）及び信号処理部（51）が兼用させる。これにより、生体情報取得装置（10）の部品点数やコストを削減でき、装置の簡素化・小型化を図ることができる。
【図面の簡単な説明】
【００２８】
【図１】図１は、実施形態に係る生体情報取得ユニットを示す概略の全体構成図であり、生体情報取得装置が据置ユニットから外れた状態を示している。
【図２】図２は、実施形態に係る生体情報取得ユニットを示す概略の全体構成図であり、生体情報取得装置が据置ユニットに設置された状態を示している。
【図３】図３は、実施形態に係る生体情報取得装置の外観を示す上面図である。
【図４】図４は、実施形態に係る生体情報取得装置の外観を示す正面図である。
【図５】図５は、実施形態に係る生体情報取得装置の外観を示す右面図である。
【図６】図６は、実施形態に係る生体情報取得装置の外観を示す背面図である。
【図７】図７は、実施形態に係る生体情報取得ユニットの全体構成を示すブロック図である。
【図８】図８は、実施形態に係るチューブユニットの設置状態の一例を示す概略構成図である。
【図９】図９は、実施形態に係る圧力センサの近傍を拡大した概略の構成図である。
【図１０】図１０は、実施形態に係る分岐路の近傍を拡大した概略の構成図であり、チューブコックを閉状態としている。
【図１１】図１１は、実施形態に係る分岐路の近傍を拡大した概略の構成図であり、チューブコックを開状態としている。
【図１２】図１２は、変形例１に係る分岐路の近傍を拡大した概略の構成図であり、逆止弁を閉状態としている。
【図１３】図１３は、変形例１に係る分岐路の近傍を拡大した概略の構成図であり、逆止弁を開状態としている。
【図１４】図１４は、変形例２に係る分岐路の近傍を拡大した概略の構成図である。
【図１５】図１５は、変形例３に係る図６に相当する図である。
【発明を実施するための形態】
【００２９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３０】
図１及び図２に示すように、実施形態に係る生体情報取得ユニット（1）は、装着式の生体情報取得装置（10）と、クレードルユニット（60）と、外付けのチューブユニット（70）とが組み合わされて構成される。生体情報取得装置（10）は、クレードルユニット（60）の充電台（61）に設置可能に構成される（図２を参照）。また、生体情報取得装置（10）には、チューブユニット（70）が接続可能である。
【００３１】
〈生体情報取得装置〉
図１〜図６に示す生体情報取得装置（10）は、対象者に装着可能な装着式である。生体情報取得装置（10）は、対象者の着用品（2,3）に着脱可能に構成され、着用品（2,3）を介して対象者に取り付けられる。本実施形態の生体情報取得装置（10）は、着用品であるベルト（2）及びズボン（3）に装着される。
【００３２】
生体情報取得装置（10）は、ケースユニット（11）、第１チューブ（31）、圧力センサ（32）、回路基板（21）、及び充電式電池（22）を備えている。
【００３３】
〈ケースユニット〉
図１及び図５に示すように、ケースユニット（11）は、全体として縦長で下側が開放する逆Ｕ字状の外形を構成している。ケースユニット（11）は、対象者の着用品（2,3）を挟持する挟持部材を構成する。ケースユニット（11）は、第１ケーシング（12）と、第２ケーシング（13）と、接続部材（14）とを有している。第１ケーシング（12）は、着用品（2,3）を挟んで対象者側に配置される。第２ケーシング（13）は、着用品（2,3）を挟んで対象者と反対側に配置される。接続部材（14）は、可撓性を有する筒状の樹脂材料で構成される。接続部材（14）は、第１ケーシング（12）の端部と第２ケーシング（13）の端部とを連結する。
【００３４】
第１ケーシング（12）には、第１チューブ（31）及び圧力センサ（32）が収容され、第２ケーシング（13）には、液晶ディスプレイ（20）、回路基板（21）、及び充電式電池（22）が収容される。
【００３５】
図４に示すように、第２ケーシング（13）の前面には、液晶ディスプレイ（20）を露出させるための開口（15）が形成される。液晶ディスプレイ（20）には、生体情報取得装置（10）の操作に関する情報や、対象者の生体情報に関する情報が表示される。
【００３６】
また、第２ケーシング（13）の前面には、液晶ディスプレイ（20）の上方に、チューブコック（46）のレバー（46b）（操作部）と、差込孔（47）とが設けられる。これらの詳細は後述する。
【００３７】
第２ケーシング（13）の右側の側面には、電源ボタン（16）と、切り替えボタン（17）とが設けられる。電源ボタン（16）は、液晶ディスプレイ（20）ないし生体情報取得装置（10）のＯＮ／ＯＦＦの切り換えを行うためのＯＮ／ＯＦＦスイッチである。切り替えボタン（17）は、例えば液晶ディスプレイ（20）の表示の切り替え等を行うための切換部である。
【００３８】
ケースユニット（11）では、第１ケーシング（12）と第２ケーシング（13）と接続部材（14）との間に、着用品（2,3）が挿通される凹部（18）（挿通孔）が形成される。
【００３９】
ケースユニット（11）の内部には、クリップ（図示省略）が収容される。クリップは、第１ケーシング（12）、接続部材（14）、及び第２ケーシング（13）に沿ったＵ字状の板ばねである。このクリップの付勢力により、第１ケーシング（12）と第２ケーシング（13）とが近接する方向に付勢される。これにより、ケースユニット（11）が、着用品（2,3）を強固に取り付けられる。なお、クリップにかえて、スプリング等の他の弾性部材を用いることもできる。
【００４０】
〈第１チューブ〉
第１チューブ（31）は、第１ケーシング（12）の内部に収容される本体側チューブを構成している。第１チューブ（31）は、対象者の体動が作用する第１感圧部である。また、第１チューブ（31）は、中空状の第１中空部材を構成している。第１チューブ（31）は、横断面が円形状の細長いチューブ状に形成され、可撓性を有する樹脂材料（例えば塩化ビニル）で構成される。第１チューブ（31）は、第１ケーシング（12）の裏側の壁面（第１壁部（12a））と、第１ケーシング（12）の表側の壁面（第２壁部（12b））とに挟まれるように配置される。
【００４１】
図６に示すように、第１チューブ（31）は、第１壁部（12a）に沿うように略Ｕ字状に配設される。第１チューブ（31）の基端部は、筒状のチューブコネクタ（）を介して圧力センサ（32）に接続される。第１チューブ（31）の先端は開口していてもよいし、栓などで封止されていてもよい。また、この栓に第１チューブ（31）の内部と外部とを連通させる連通口を形成してもよい。いずれの構成においても、第１チューブ（31）は、対象者の体動が作用することで内圧が変化するように構成される。
【００４２】
圧力センサ（32）は、第１ケーシング（12）の上端寄りであって、前後方向において接続部材（14）と重なる位置にある。圧力センサ（32）は、マイクロフォンで構成される。圧力センサ（32）は、第１チューブ（31）の内圧を検出し、この内圧に応じた圧力信号を出力する。また、圧力センサ（32）は、詳細は後述する連通路（40）を介してチューブユニット（70）の第２チューブ（71）とも接続する。これにより、圧力センサ（32）は、第２チューブ（71）の内圧を検出し、この内圧に応じた圧力信号も出力する。圧力センサ（32）で検出した圧力信号は、信号線（図示省略）を介して回路基板（21）へ送られる。
【００４３】
〈回路基板〉
図１に示すように、回路基板（21）は、第２ケーシング（13）の内部に収容される。回路基板（21）は、プリント基板で構成され、中央処理演算装置（ＣＰＵ）及び記憶装置（メモリやレジスタ等）を含む電子回路が実装されている。回路基板（21）は、第２ケーシング（13）の前面や後面に沿うように上下に延びる板状に形成される。回路基板（21）の前面（表面）には、上述した液晶ディスプレイ（20）が搭載される。
【００４４】
〈充電式電池〉
充電式電池（22）は、第２ケーシング（13）の内部において、回路基板（21）に隣接する位置に収容される。充電式電池（22）は、生体情報取得装置（10）の電源を構成している。充電式電池（22）には、クレードルユニット（60）から電力が供給される。
【００４５】
〈入力端子〉
図１及び図７に示すように、生体情報取得装置（10）の第１ケーシング（12）には、入力端子（35）（入力部）が設けられている。入力端子（35）は、クレードルユニット（60）の出力端子（69）から出力される直流電力が入力される。入力端子（35）に入力された直流電力は、電源ラインを介して充電式電池（22）に供給される。
【００４６】
〈クレードルユニット〉
図１及び図２に示すクレードルユニット（60）は、所定の設置面（例えば机の上）に設置される据置ユニットを構成している。クレードルユニット（60）は、充電台（61）と、ＡＣアダプタ（68）とを有している。
【００４７】
〈充電台〉
充電台（61）は、生体情報取得装置（10）（厳密には、装置本体であるケースユニット（11））が設置される設置台を構成している。充電台（61）は、上側が開放する凹状に形成される。充電台（61）は、横長の基台部（62）と、該基台部（62）の長手方向の一端（図１の右端）から上方に突出する第１凸部（63）と、該基台部（62）の長手方向の他端（図１の左端）から上方に突出する第２凸部（64）とを有している。充電台（61）では、基台部（62）、第１凸部（63）、及び第２凸部（64）の内側に、生体情報取得装置（10）が格納される格納部（65）が形成される。
【００４８】
第１凸部（63）には、生体情報取得装置（10）の充電式電池（22）を充電するためのＡＣアダプタ（68）が接続される。
【００４９】
〈出力端子〉
図１に示すように、充電台（61）の第２凸部（64）の上部には、格納部（65）側（図１の右側）部分に出力端子（69）（出力部）が設けられる。生体情報取得装置（10）を充電台（61）に設置すると、出力端子（69）が生体情報取得装置（10）の入力端子（35）と接触し、両者の接点が繋がる。これにより、ＡＣアダプタ（68）から供給される直流電力が、出力端子（69）を介して入力端子（35）へ出力される。
【００５０】
〈チューブユニット〉
図２及び図８に示すように、生体情報取得ユニット（1）は、付属品としてのチューブユニット（70）を有している。外付けチューブユニット（70）は、第２チューブ（71）、パッド（72）、及びチューブジョイント（73）を有している。第２チューブ（71）及びチューブジョイント（73）により、中空状の第２中空部材（74）が構成される。
【００５１】
第２チューブ（71）は、対象者の体動が作用する第２感圧部である。第２チューブ（71）は、横断面が円形状の細長いチューブ状に形成され、可撓性を有する樹脂材料（例えば塩化ビニル）で構成される。
【００５２】
図８に示すように、第２チューブ（71）は、対象物である寝具（5）（例えばベッドのマット）上、又はその内部に配設される。対象者が寝具（5）上に横臥すると、対象者の体動が第２チューブ（71）に作用する。
【００５３】
第２チューブ（71）の先端には、矩形薄板状のパッド（72）が取り付けられる。パッド（72）を寝具（5）上に置くことで、第２チューブ（71）の位置ずれを防止できる。
【００５４】
第２チューブ（71）の先端は開口していてもよいし、栓などで封止されていてもよい。また、この栓に第２チューブ（71）の内部と外部とを連通させる連通口を形成してもよい。いずれの構成においても、第２チューブ（71）は、対象者の体動が作用することで内圧が変化するように構成される。
【００５５】
図２に示すように、第２チューブ（71）の基端には、中空状のチューブジョイント（73）が接続される。チューブジョイント（73）は、例えばＬ字状に屈曲した樹脂材料で構成され、その内部に空気通路が形成される。チューブジョイント（73）の一端は、第２チューブ（71）の基端の開口に接続される。チューブジョイント（73）の他端は、生体情報取得装置（10）の差込孔（47）に接続される。つまり、チューブジョイント（73）は、分岐路（43）の始端に接続可能な接続部を構成する。
【００５６】
〈連通路〉
本実施形態の生体情報取得装置（10）には、第１チューブ（31）と第２チューブ（71）との双方の内圧を１つの圧力センサ（32）で検出できるように、連通路（40）が形成される。連通路（40）、及びその周辺機器の構成について、図２、図９〜図１１を参照しながら説明する。
【００５７】
本実施形態の連通路（40）は、チューブコネクタ（41）の内部に形成される圧力室（42）と、該圧力室（42）に連通する分岐路（43）とを含んでいる。
【００５８】
図９に示すように、チューブコネクタ（41）は、その内部に圧力室（42）を形成する略筒状に形成され、圧力センサ（32）を保持するセンサフォルダを構成している。チューブコネクタ（41）の軸方向の一端側には、圧力センサ（32）が内嵌する開放部が形成される。チューブコネクタ（41）の軸方向の他端側の側壁には、第１チューブ（31）の基端が接続される第１接続口（44）が形成される。チューブコネクタ（41）の周壁には、分岐路（43）を構成する管（例えばチューブ等）が接続される第２接続口（45）が形成される。
【００５９】
このようにして、本実施形態の連通路（40）では、第１チューブ（31）と第２チューブ（第２中空部材（74））とが圧力センサ（32）に並列に接続される。
【００６０】
〈チューブコック〉
図１０及び図１１に示すように、分岐路（43）の途中には、チューブコック（46）が接続される。チューブコック（46）は、圧力センサ（32）と、第１チューブ（31）及び第２チューブ（71）の連通状態との連通状態を切り換える切換機構である。チューブコック（46）は、第２チューブ（71）と圧力センサ（32）とを連通させる通路（分岐路（43））を開閉する開閉機構である。
【００６１】
例えばチューブコック（46）は、円柱縦長のコック本体（46a）と、コック本体（46a）の上端に形成されるレバー（46b）とを有する。コック本体（46a）の下部には、分岐路（43）と連通可能な連通孔（46c）が形成される。チューブコック（46）では、レバー（46b）を回転させることで、コック本体（46a）が分岐路（43）に対して回動し、分岐路（43）と連通孔（46c）との断続状態が切り換わる。これにより、対象者は分岐路（43）の開閉を適宜切り換えることができる。
【００６２】
分岐路（43）の始端には、ケースユニット（11）の外部に向かって開口する円形の差込孔（47）が形成される。差込孔（47）は、チューブジョイント（73）が着脱可能に構成される。チューブジョイント（73）を差込孔（47）に接続すると、第２チューブ（71）は分岐路（43）を介して圧力室（42）と連通する。これにより、第２チューブ（71）の内圧を圧力センサ（32）で検出できる。
【００６３】
〈機能ブロック〉
上述した回路基板（21）に構成される機能ブロックについて、図７を参照しながら詳細に説明する。生体情報取得装置（10）は、判定部（50）、信号処理部（51）、記憶部（57）、及び通信部（58）を有する。
【００６４】
判定部（50）は、生体情報取得装置（10）が充電台（61）に設置されているか否かを判定する。本実施形態の判定部（50）は、充電式電池（22）の給電の有無に応じて、生体情報取得装置（10）の設置状態を判定する。具体的には、生体情報取得装置（10）が充電台（61）に設置されると、出力端子（69）及び入力端子（35）の接点が繋がり、クレードルユニット（60）から充電式電池（22）へ直流電力が供給される。従って、判定部（50）は、電源ラインの給電状態を示す指標（直流電力、直流電流、直流電圧等）に基づき、給電の有無を判定でき、ひいては生体情報取得装置（10）の設置状態を判定できる。例えば電源ラインの給電が検出されない場合、判定部（50）は、生体情報取得装置（10）が充電台（61）に設置されていないと判断する。逆に、電源ラインの給電が検出される場合、判定部（50）は、生体情報取得装置（10）が充電台（61）に設置されていると判断する。
【００６５】
信号処理部（51）は、体動を示す信号に基づいて、対象者の生体情報を取得するための信号処理を行う。本実施形態の信号処理部（51）は、体動信号抽出部（52）、心拍信号抽出部（53）、呼吸信号抽出部（54）、自律神経情報取得部（55）、及び睡眠情報取得部（56）を有する。
【００６６】
体動信号抽出部（52）は、圧力センサ（32）から出力された圧力信号から対象者の体動信号を抽出する。ここで、体動信号は、対象者の大きな体の動き（粗体動）と、心拍や呼吸に由来する小さな体の動き（微体動）とが重畳した信号である。
【００６７】
心拍信号抽出部（53）は、体動信号抽出部（52）で抽出した体動信号から心拍に由来する信号（心拍信号）だけを抽出する。
【００６８】
呼吸信号抽出部（54）は、体動信号抽出部（52）で抽出した体動信号から呼吸に由来する信号（呼吸信号）だけを抽出する。
【００６９】
自律神経情報取得部（55）は、心拍信号抽出部（53）で抽出した心拍信号に基づいて、例えば対象者のLF/HF値を算出する。ここで、LF/HF値は、心拍信号に基づいて求められた拍動間隔のゆらぎの低周波成分LFと、この拍動間隔の揺らぎの高周波成分HFとの比である。このLF/HF値は、ストレス度や自律神経活動を示す指標となり、LF/HF値が高いほどストレス度が高いことを意味する。
【００７０】
睡眠情報取得部（56）は、体動信号、心拍信号、及び呼吸信号に基づいて、対象者の睡眠に関する情報（着床、入眠、目覚め、離床等の寝具上での活動状態や、睡眠深度等）を取得する。
【００７１】
信号処理部（51）は、判定部（50）で判定した生体情報取得装置（10）の設置状態に応じて、第１処理動作と第２処理動作とを切り換える。
【００７２】
第１処理動作は、判定部（50）により、生体情報取得装置（10）が充電台（61）に設置されていないと判定されたときに実行される。第１処理動作では、自律神経情報取得部（55）により、対象者の自律神経に関する生体情報が取得される。第２処理動作は、判定部（50）により、生体情報取得装置（10）が充電台（61）に設置されていると判定されたときに実行される。第２処理動作では、睡眠情報取得部（56）により、対象者の睡眠に関する生体情報が取得される（詳細は後述する）。
【００７３】
記憶部（57）は、フラッシュメモリ等の半導体メモリで構成される。記憶部（57）には、回路基板（21）で処理される各種の信号や、取得した生体情報に関するデータが、対応する時刻とともに適宜記憶される。具体的には、例えば記憶部（57）には、体動信号、心拍信号、LF/HF値等が時系列データとして漸次記憶されていく。
【００７４】
通信部（58）は、生体情報取得装置（10）の通信インターフェースである。つまり、通信部（58）は、有線又は無線からなるネットワーク通信を介して外部機器（スマートフォン、タブレット、パーソナルコンピュータ等の情報端末）と接続される。例えば記憶部（57）に記憶された各情報は、ネットワーク通信を介して外部機器へ送信される。これにより、対象者は、外部機器を用いて生体情報の詳細を確認することができる。
【００７５】
〈生体情報取得装置の装着／取り外し〉
図５に示すように、本実施形態の生体情報取得装置（10）は、ケースユニット（11）を着用品（2,3）に取り付けることで対象者に装着される。具体的には、ケースユニット（11）の凹部（18）には、ベルト（2）と、ズボン（3）の腰周りの部分とが同時に挿通される。凹部（18）にベルト（2）及びズボン（3）が挿通された状態では、第１ケーシング（12）と第２ケーシング（13）とが、その内部のクリップにより付勢される。これにより、ベルト（2）及びズボン（3）は、第１ケーシング（12）と第２ケーシング（13）とによって挟持される。従って、ケースユニット（11）がベルト（2）及びズボン（3）から外れてしまうことを確実に防止できる。
【００７６】
生体情報取得装置（10）を取り外す際には、クリップの付勢力に抗して第１ケーシング（12）と第２ケーシング（13）とを離間させ、ケースユニット（11）を上方へ移動させる。これにより、生体情報取得装置（10）をベルト（2）及びズボン（3）から容易に取り外すことができる。
【００７７】
〈第１処理動作〉
第１処理動作は、対象者が生体情報取得装置（10）を装着するときに実行される。第１処理動作では、第１チューブ（31）の内圧変化に基づいて、対象者の自律神経に関する生体情報が取得される。
【００７８】
第１処理動作を行う際には、第２チューブ（71）を差込孔（47）から取り外す。また、チューブコック（46）により分岐路（43）を閉鎖する。これにより、連通路（40）では、圧力室（42）と差込孔（47）とが遮断される一方、圧力室（42）と第１チューブ（31）だけが連通する。従って、第１チューブ（31）の内圧の変化が大きくなり、圧力センサ（32）により、第１チューブ（31）の圧力信号を確実に検出できる。
【００７９】
生体情報取得装置（10）をベルト（2）及びズボン（3）に取り付けた状態では、対象者の腹部と第１ケーシング（12）とが接触する。このため、対象者の体動は第１ケーシング（12）の第１壁部（12a）を介して第１チューブ（31）へ伝達される。圧力センサ（32）は、この第１チューブ（31）の内圧ないし内圧変化を検出し、圧力信号を出力する。
【００８０】
生体情報取得装置（10）が対象者に装着される状態では、判定部（50）により、生体情報取得装置（10）が充電台（61）に設置されていないと判断される。このため、信号処理部（51）では、第１処理動作が実行され、自律神経に関する生体情報が取得される。
【００８１】
具体的には、第１処理動作では、体動信号抽出部（52）が、第１チューブ（31）の内圧に基づく圧力信号から体動信号を抽出する。次いで、心拍信号抽出部（53）は、この体動信号から心拍信号を抽出する。次いで、自律神経情報取得部（55）は、心拍信号に基づいて対象者のLF/HF値を漸次算出する。このLF/HF値に基づき、対象者のストレス状態を評価できる。
【００８２】
〈第２処理動作〉
第２処理動作は、対象者が生体情報取得装置（10）を取り外し、充電台（61）に設置されるときに実行される。第２処理動作では、寝具（5）に設けられた第２チューブ（71）の内圧の変化に基づいて、対象者の睡眠に関する生体情報が取得される。
【００８３】
例えば対象者が就寝する際、対象者が生体情報取得装置（10）を装着したままであると、対象者が拘束感を覚えてしまう。このため、対象者は生体情報取得装置（10）を外して充電台（61）に設置する。これにより、対象者は拘束感を覚えることなく、更に生体情報取得装置（10）の充電を行うことができる。
【００８４】
第２処理動作を行う際には、第２チューブ（71）のチューブジョイント（73）を生体情報取得装置（10）の差込孔（47）に差し込む。また、チューブコック（46）により分岐路（43）を開放する。これにより、第２チューブ（71）と圧力室（42）とが連通し、第２チューブ（71）の内圧を圧力センサ（32）により検出できる。第１チューブ（31）と圧力室（42）とは連通したままであるが、生体情報取得装置（10）の設置状態では、第１チューブ（31）に対象者の体動等が作用することはない。このため、この状態であっても、第２チューブ（71）の内圧の変化を圧力センサ（32）により十分に検出できる。
【００８５】
対象者が寝具（5）に入床すると、対象者の体動が第２チューブ（71）へ伝達される。圧力センサ（32）は、この第２チューブ（71）の内圧ないし内圧変化を検出し、圧力信号を出力する。
【００８６】
生体情報取得装置（10）が充電台（61）に設置される状態では、直流電力が、出力端子（69）及び入力端子（35）を介して充電式電池（22）へ供給される。
【００８７】
このように充電式電池（22）の給電が行われると、判定部（50）により、生体情報取得装置（10）が充電台（61）に設置されていると判断される。このため、信号処理部（51）では、第２処理動作が実行される。
【００８８】
第２処理動作では、体動信号抽出部（52）が圧力信号から体動信号を抽出する。次いで、心拍信号抽出部（53）は、この体動信号から心拍信号を抽出する。また、呼吸信号抽出部（54）は、この体動信号から呼吸信号を抽出する。次いで、睡眠情報取得部（56）は、体動信号、心拍信号、及び呼吸信号の少なくとも１つを用いて対象者の睡眠に関する情報を取得する。これにより、対象者の睡眠状態を評価できる。
【００８９】
〈実施形態の効果〉
本実施形態によれば、対象者の就寝時には、対象者から生体情報取得装置（10）を取り外しつつ、継続的に生体情報（睡眠に関する情報）を取得できる。従って、対象者が拘束感を覚えることなく、対象者の生体情報を取得できる。
【００９０】
また、対象者の就寝時において、生体情報取得装置（10）を充電台（61）に設置することで、対象者の睡眠情報を取得しつつ、生体情報取得装置（10）の充電を行うことができる。
【００９１】
第１処理動作と第２処理動作とでは、圧力センサ（32）及び信号処理部（51）が兼用される。このため、例えばクレードルユニット（60）側に別途、圧力センサや信号処理部を設ける必要がないため、部品点数やコストを削減できるとともに、クレードルユニット（60）の小型化を図ることができる。
【００９２】
第１処理動作と第２処理動作とでは、判定部（50）による電源ラインの給電の有無に基づいて、自動的に切り換えられる。これにより、対象者が生体情報取得装置（10）を装着している状態では、第１チューブ（31）の内圧変化に基づいて対象者の自律神経に関する生体情報を取得できる。また、生体情報取得装置（10）が充電台（61）に設置される状態では、第２チューブ（71）の内圧変化に基づいて対象者の睡眠に関する生体情報を取得できる。
【００９３】
《変形例１》
図１２及び図１３に示す変形例１は、上記実施形態と開閉機構（切換機構）の構成が異なる。変形例１の生体情報取得装置（10）では、実施形態のチューブコック（46）の代わりに逆止弁（80）が用いられる。逆止弁（80）は、分岐路（43）を開閉する開閉機構を構成する。逆止弁（80）は、生体情報取得装置（10）の差込孔（47）の内縁部に配置される。第２中空部材（74）のチューブジョイント（73）が差込孔（47）から外れた状態では、図１２に示すように、逆止弁（80）の弁体（81）が図示を省略したバネ等で付勢され、分岐路（43）を閉鎖する状態となる。一方、第２中空部材（74）のチューブジョイント（73）を差込孔（47）に差し込むと、チューブジョイント（73）の先端によって弁体（81）が分岐路（43）の内部へ押し込まれ、分岐路（43）を開放する状態となる。
【００９４】
対象者が生体情報取得装置（10）を装着する際には、第２中空部材（74）（厳密には、チューブジョイント（73））が差込孔（47）から取り外される。このため、上記実施形態と同様、分岐路（43）を閉鎖した状態で、第１チューブ（31）の内圧に基づき対象者の自律神経に関する生体情報を取得できる。
【００９５】
例えば対象者が就寝する際には、生体情報取得装置（10）を充電台（61）に設置し、チューブジョイント（73）を分岐路（43）に接続する。これにより、第２チューブ（71）と圧力室（42）とが連通するため、第２チューブ（71）の内圧に基づき対象者の睡眠に関する生体情報を取得できる。それ以外の作用効果は上記実施形態と同様である。
【００９６】
《変形例２》
図１４に示す変形例２では、分岐路（43）の差込孔（47）に栓（85）（例えばゴム栓）が着脱可能に取り付けられる。対象者が生体情報取得装置（10）を装着する際には、栓（85）を差込孔（47）に内嵌させる。これにより、分岐路（43）が閉鎖される。従って、第１チューブ（31）の内圧を十分に変化させながら、自律神経に関する生体情報を取得できる。
【００９７】
生体情報取得装置（10）を充電台（61）に設置し、就寝する際には、栓（85）を差込孔（47）から外し、チューブジョイント（73）を差込孔（47）に差し込む。これにより、第２チューブ（71）と圧力室（42）とが連通するため、第２チューブ（71）の内圧に基づき対象者の睡眠に関する生体情報を取得できる。それ以外の作用効果は上記実施形態と同様である。
【００９８】
《変形例３》
図１５に示す変形例３は、実施形態に係る分岐路（43）が省略されている。一方、変形例３では、第１チューブ（31）の先端が第１ケーシング（12）の外部まで導かれる。第１チューブ（31）の先端には、第１ケーシング（12）の外部に開口するチューブ接続口（31a）が形成される。チューブ接続口（31a）には、第２中空部材（74）のチューブジョイント（73）が着脱可能に接続される。
【００９９】
対象者が生体情報取得装置（10）を装着する際には、第２中空部材（74）を第１チューブ（31）から取り外す。そして、例えば変形例２に係る栓（85）により第１チューブ（31）のチューブ接続口（31a）を封止する。従って、第１チューブ（31）の内圧を十分に変化させながら、自律神経に関する生体情報を取得できる。
【０１００】
生体情報取得装置（10）を充電台（61）に設置し、就寝する際には、栓（85）をチューブ接続口（31a）から外し、チューブジョイント（73）をチューブ接続口（31a）に差し込む。この状態では、圧力センサ（32）、第１チューブ（31）、チューブジョイント（73）、及び第２チューブ（71）の順に、これらが直列に接続される。つまり、第２チューブ（71）は、第１チューブ（31）を介して圧力センサ（32）と接続される。即ち、変形例３では、第１チューブ（31）の内部通路（31b）が、連通路（40）の少なくとも一部を構成している。これにより、第２チューブ（71）と圧力室（42）とが連通するため、第２チューブ（71）の内圧に基づき対象者の睡眠に関する生体情報を取得できる。
【０１０１】
変形例３では、上記実施形態の分岐路（43）が減るため、生体情報取得装置（10）の簡素化、小型化を図ることができる。それ以外の作用効果は上記実施形態と同様である。
【０１０２】
《その他の実施形態》
第２中空部材（74）は、チューブジョイント（73）を有しているが、チューブジョイント（73）を省略した構成としてもよい。この場合、上記実施形態、変形例１、及び変形例２では、第２チューブ（71）の基部（接続部）を差込孔（47）に接続できる。また、上記変形例３では、第２チューブ（71）の基部（接続部）を第１チューブ（31）のチューブ接続口（31a）に接続できる。
【０１０３】
圧力センサ（32）と、第１チューブ（31）及び第２チューブ（71）（第２中空部材（74））との連通状態を切り換える切換機構は、上記の形態に限られない。例えば切換機構は、第１チューブ（31）と圧力センサ（32）とを連通させ、第２チューブ（71）と圧力センサ（32）とを遮断する第１状態と、第２チューブ（71）と圧力センサ（32）とを連通させ、第１チューブ（31）と圧力センサ（32）とを遮断する第２状態とに切り換わるような流路切換弁であってもよい。
【０１０４】
上記実施形態の判定部（50）は、充電式電池（22）の給電の有無に基づいて、生体情報取得装置（10）の設置状態を判定し、第１処理動作と第２処理動作とを切り換えている。しかし、判定部（50）は、他の方法により生体情報取得装置（10）の設置状態を判定してもよい。具体的には、例えば生体情報取得装置（10）を充電台（61）に設置することで作動するスイッチを用いることができる。
【０１０５】
また、判定部（50）を省略し、対象者の操作により第１処理動作と第２処理動作とを手動で切り換える構成としてもよい。
【０１０６】
上記実施形態では、第２チューブ（71）が対象物である寝具（5）に設けられているが、第２チューブ（71）を例えばソファやマッサージチェア等の椅子の座部に設けてもよい。この場合、対象者が生体情報取得装置（10）を充電台（61）に設置した状態で、座部に座る対象者の生体情報（例えば自律神経情報）を、第２信号に基づいて継続して取得することができる。
【０１０７】
据置ユニット（クレードルユニット（60））は、必ずしも充電の機能を有していなくてもよい。
【０１０８】
第１チューブ（31）や第２チューブ（71）は、必ずしもチューブ状でなくてもよく、例えば袋状であってもよい。
【０１０９】
信号処理部（51）では、体動信号抽出部（52）、心拍信号抽出部（53）、呼吸信号抽出部（54）、自律神経情報取得部（55）、睡眠情報取得部（56）のいずれかを省略した構成としてもよい。また、例えば自律神経情報取得部（55）や睡眠情報取得部（56）の機能を、通信部（58）を介してネットワーク上に繋がるサーバや、他の通信端末に付与してもよい。この場合、信号処理部（51）で得られた信号に基づき、サーバや通信端末において対象者の更なる生体情報が取得されることになる。
【０１１０】
生体情報取得装置（10）のケースユニット（11）は、着用品であるベルト（2）やズボン（3）に装着されるが、例えばスカート、靴、使い捨てパンツ等の他の着用品に装着されるものであってもよい。
【産業上の利用可能性】
【０１１１】
以上説明したように、本発明は、生体情報取得ユニットとして有用である。
【符号の説明】
【０１１２】
１      生体情報取得ユニット
５      寝具（対象物）
１０      生体情報取得装置
２２      充電式電池
３１      第１チューブ（チューブ、第１中空部材）
３２      圧力センサ
４０      連通路
４３      分岐路（通路）
４６      チューブコック（切換機構、開閉機構）
５１      信号処理部
７３      チューブジョイント（接続部）
７４      第２中空部材
８０      逆止弁（切換機構、開閉機構）
【図１】
2018134248.tif 000003
【図２】
2018134248.tif 000004
【図３】
2018134248.tif 000005
【図４】
2018134248.tif 000006
【図５】
2018134248.tif 000007
【図６】
2018134248.tif 000008
【図７】
2018134248.tif 000009
【図８】
2018134248.tif 000010
【図９】
2018134248.tif 000011
【図１０】
2018134248.tif 000012
【図１１】
2018134248.tif 000013
【図１２】
2018134248.tif 000014
【図１３】
2018134248.tif 000015
【図１４】
2018134248.tif 000016
【図１５】
2018134248.tif 000017